(57)【特許請求の範囲】
【請求項１】
上方に配設された配線・配管材用受具の受け部に対して、ケーブル又は管を布設する際に使用する配線・配管材布設具であって、
ケーブル又は管を支持するとともに、その支持状態を解除する解除手段を有する支持部を備えた支持具本体と、
前記支持部を上方に配置させるべく、前記支持具本体より下方に延設され、ロッド部材によって形成された把持部と、
前記解除手段に連結され、該解除手段を作動させるように前記把持部付近において操作可能な操作手段と、
前記支持具本体の下部に設けられ、前記支持部にて支持するケーブル又は管の重量を配線・配管材用受具に負担させるべく、該配線・配管材用受具に掛け止め可能な掛止部とを備え、
前記支持具本体を把持部によって上方に配置するとともに前記掛止部により前記配線・配管材用受具に掛け止めした状態において、解除手段によるケーブル又は管に対する支持状態を解除して、該ケーブル又は管を前記受具の受け部へと降下させて布設することを特徴とする配線・配管材布設具。
【請求項２】
前記配線・配管材用受具は受け部とその両端に立設する側壁とからなり、
前記掛止部は、前記側壁の上端に掛け止め可能であることを特徴とする、請求項１に記載の配線・配管材布設具。
【請求項３】
前記ケーブル又は管の受具の幅方向への布設位置を段階的に調整すべく、受具に対する進入方向に沿って複数の掛止部を備えたことを特徴とする請求項１又は２に記載の配線・配管材布設具。
【請求項４】
前記支持部は、ケーブル又は管の周面を支持することを特徴とする、請求項１から３の何れかに記載の配線・配管材布設具。
【請求項５】
前記解除手段は、支持具本体へ穿設した貫通孔に対して進退自在に挿通させた棒状部材であり、前記操作手段は該棒状部材の下端に連結されたひも状部材であって、当該ひも状部材を下方に引き込んで当該棒状部材を進退させ、ケーブル又は管に対する側方からの支持状態を解除することを特徴とする、請求項４に記載の配線・配管材布設具。
【発明の詳細な説明】
【０００１】
【発明の属する技術分野】
本発明は、配線・配管材用受具に対して配線又は配管を布設する布設具に関し、特に、高所に配設された配線・配管材用受具への布設を、容易且つ確実に行うことを可能とする、布設具に関するものである。
【０００２】
【従来の技術】
高所に配設された配線・配管材用受具の上に、配線・配管材（以下、「ケーブル等」とする）を布設する際には、作業者がケーブル等とともに脚立等に登り、前記ケーブル等を受具上に載置することによって布設したり、或いは、作業者が前記受具の上に乗って移動しながら布設するなど行っていた。
【０００３】
このような布設方法は危険且つ面倒であり、それに加えて、ケーブル等の布設に長時間を要するという問題がある。
【０００４】
このような問題を解決すべく、出願人は特開平１１−２５２７３２に係る公報において「布設具」に係る技術を提案している。この公報に記載された技術に係る「布設具」は、受具上に引き込まれた配線・配管材を楽にかつ安全に所定位置に移動させることが可能となる点については有効な技術である。
【０００５】
しかし上記公報に記載された技術に係る「布設具」を用いて布設作業にあたる作業者は、布設具自体の重量と、当該布設具の上に載せているケーブル等との重量とを支えなくてはならず、その重量があまりに大きい場合には、布設具自体が作業者の頭上においてふらついてしまい、布設具先端の「支持部」の位置が安定せず、受具上の所望する位置に前記ケーブル等を布設することが困難となる。即ち、布設したケーブル等が受具上で重なり合うなどして、これらケーブル等を大幅に整列しなおす必要があり、面倒な作業を要することとなるという問題があった。
【０００６】
本発明は上記の諸問題を解決すべくなされたものであり、その解決しようとする課題は以下に示すものである。
【０００７】
【発明の解決しようとする課題】
即ち、高所に配設された受具にケーブル等を布設する際に、まず、前記受具に対して布設具に係る支持部の先端を掛止させることによって布設具及びケーブル等の重量を前記受具に預けてしまい、その後、支持されたケーブル等への支持状態を解除することにより、前記ケーブル等を受具上に整然と配設することにある。
【０００８】
【課題を解決するための手段】
請求項１に係る発明は、
上方に配設された配線・配管材用受具の受け部に対して、ケーブル又は管を布設する際に使用する配線・配管材布設具１００であって、ケーブル又は管を支持するとともに、その支持状態を解除する解除手段３０を有する支持部１０を備えた支持具本体１１と、前記支持部１０を上方に配置させるべく、前記支持具本体１１より下方に延設され、ロッド部材２１によって形成された把持部２０と、前記解除手段３０に連結され、該解除手段３０を作動させるように前記把持部２０付近において操作可能な操作手段４０と、前記支持具本体１１の下部に設けられ、前記支持部１０にて支持するケーブル又は管の重量を配線・配管材用受具に負担させるべく、該配線・配管材用受具に掛け止め可能な掛止部５０とを備え、前記支持具本体１１を把持部２０によって上方に配置するとともに前記掛止部５０により前記配線・配管材用受具に掛け止めした状態において、解除手段３０によるケーブル又は管に対する支持状態を解除して、該ケーブル又は管を前記受具の受け部へと降下させて布設することを特徴とするものである。
【０００９】
即ち、この請求項１に係る発明の配線・配管材布設具１００は、「支持部１０」と「把持部２０」と「解除手段３０」と「操作手段４０」と「掛止部５０」とを有し、以下に示す作用を奏するものである。
【００１０】
この請求項１に係る発明の布設具１００を用いて、受具に対してケーブル等を布設する場合には、まず、支持部１０にケーブル等を載置させた状態で、支持部１０の下方に設けられた把持部２０を取り上方に配設された受具に向けて持ち上げ、当該受具に対して布設具１００の掛止部５０を掛止させる。次に、受具に布設具１００を掛止させた状態で操作手段４０を操作し、支持部１０に支持されたケーブル等の支持状態を解除する。ケーブル等の支持状態が解除されることにより、受具上に前記ケーブル等が布設されることとなる。
【００１１】
即ち、操作手段４０により支持状態を解除するときには、布設具１００及びケーブル等の全ての重量は受具に掛かっている状態にある。そのため、作業者はこれらの重量の一切を負担する必要がないので、ケーブルが載置された支持部１０の位置を安定させることが可能となる。従って、ケーブル等を受具上に載置する際に、ケーブル等の重量によって作業者がふらついてしまうことがなくなり、安全且つ確実にケーブル等を敷設することが可能となるのである。
【００１２】
請求項２に係る発明は、請求項１に記載の配線・配管材布設具１００において、前記配線・配管材用受具は受け部とその両端に立設する側壁とからなり、前記掛止部５０は、前記側壁の上端に掛け止め可能であることを特徴とするものである。
【００１３】
この請求項２に係る発明の布設具１００は、布設具１００の掛止部５０を受具側壁の上端に掛止させるものである。
【００１４】
即ちこの請求項２に係る発明の布設具１００は、ケーブル等の布設にあたり、受具側壁の上端に、布設具１００の「掛止部５０」を掛止させるものである。そのため、掛止部５０を受具側壁の上端に掛止させた状態のままで、前記ケーブル等に対する支持状態を解除し、当該ケーブル等を受け部に降下させることのみを以て、前記ケーブル等の布設が可能となるのである。
【００１５】
請求項３に係る発明は、請求項１又は２に記載の配線・配管材布設具１００において、前記ケーブル又は管の受具の幅方向への布設位置を段階的に調整すべく、受具に対する進入方向に沿って複数の掛止部５０を備えたことを特徴とするものである。
【００１６】
この請求項３に係る発明は、「掛止部５０」を複数設けることにより、受具自体の「受け皿」に相当する部分（以下、「受け部」とする）の幅方向に対して、段階的に段階的にケーブル等の布設作業を行うことができるものである。例えば、この請求項３に係る発明の布設具１００を用いてケーブル等の布設作業を行う場合には、前記受け部の幅方向に対して、まず幅方向の最も外側に面する付近からケーブル等を布設し、順次、内側方向に向けてケーブルを布設するのである。
【００１７】
即ち、この請求項３に係る発明の布設具１００によれば、受具における「受け部」に対し、複数のケーブル等を段階的に整然と布設することが可能となるのである。
【００１８】
請求項４に係る発明は、請求項１から３の何れかに記載の配線・配管材布設具１００において、前記支持部１０は、ケーブル又は管の周面を支持することを特徴とするものである。
【００１９】
請求項５に係る発明は、請求項４に記載の配線・配管材布設具１００において、前記解除手段３０は、支持具本体１１へ穿設した貫通孔に対して進退自在に挿通させた棒状部材３１であり、前記操作手段４０は該棒状部材３１の下端に連結されたひも状部材であって、当該ひも状部材を下方に引き込んで当該棒状部材３１を進退させ、ケーブル又は管に対する側方からの支持状態を解除することを特徴とするものである。
【００２０】
この請求項５に係る発明の布設具１００によれば、ひも状部材を下方に引き込み、或いは、その引き込みを解放することにより、前記棒状部材３１を進退させることができる。即ち、前記棒状部材３１を進退自在に操作することにより、支持部１０によるケーブル等への支持状態を自在に操作することが可能となるのである。
【００２１】
【発明の実施の形態】
本発明を具体化した布設具１００について、以下、図１から図９に従って説明する。
本実施例に係る「配線・配管材布設具１００」は、図１に示すように、「支持部１０」と「把持部２０」と「解除手段３０」と「操作手段４０」とを有しており、とりわけ、これらに「掛止部５０」を付加したことを特徴とするものである。本実施例に係る布設具１００は「掛止部５０」を設けたことにより、ケーブル等を受具に布設する際には、前記「掛止部５０」を受具に掛止させることが可能となる。そのため、布設具１００及びケーブル等の重量の全てを受具に負担させることができるので、布設作業にあたる作業者への負担を最小限に抑えることが可能となるのである。従って、本実施例に係る「布設具１００」によれば、「受具」に対して布設目的物である「ケーブル等」を、安全且つ確実に布設することが可能となる。以下、各構成要件ごとに詳説する。
【００２２】
まず「支持部１０」につき説明する。この「支持部１０」は、ケーブル等に対する支持状態を作り出すもので、本実施例においては、図２に示すように、支持具本体１１の上部がこれに相当する。この「支持部１０」は、後記「解除手段３０」を備えており、この「解除手段３０」が作動することによって、前記の支持状態が解除されることとなるのである。
【００２３】
一方、本実施例において「支持具本体１１」は、各図に示すように、上部に「支持部１０」を備え、この「支持部１０」と後述の「把持部２０」とを接続するものであり、上端部分に傾斜面からなる「降下路６０」が形成されている。この降下路６０は、前記「支持部１０」によるケーブル等の支持状態が解除された後には、前記ケーブル等が滑降することとなり、そのまま受具の「受け部」上に降下することとなる。
【００２４】
次に「把持部２０」につき説明する。この「把持部２０」は、布設作業にあたる作業者が把持する部分であって、前述の「支持具本体１１」よりも下方に延設することにり、前記「支持部１０」を布設具１００における上方位置に配置させるものである。本実施例において当該「把持部２０」は、図１に示すように、支持具本体１１の下側に伸縮自在なロッド部材２１を設け、このロッド部材２１の下端部分にグリップ２２を設けることにより構成している。このような構成を採ることにより、掛止部５０を受具に掛止させた後に前記ロッド部材２１をそのまま下方に延伸させ、当該ロッド部材２１の先端を前記受具下方の地面（床面）に当接させることが可能となる。即ち、掛止部５０を受具に掛止させた後に把持部２０を地面（床面）上に当接させることにより、布設具１００が「受具」乃至「地面（床面）」に支持されることとなり、当該布設具１００自体を確実に安定させることが可能となる。そのため、布設具１００自体が一切ふらつかなくなるとともに、布設作業にあたる作業者への負担も最小限に抑えることが可能となるのである。
【００２５】
続いて「解除手段３０」につき説明する。この「解除手段３０」は、後述の「操作手段４０」を操作されることにより、ケーブル等を支持する前記支持部１０の「支持状態」を解除するものである。この「解除手段３０」は、上記の作用を奏するものであれば如何なる構造又は構成のものとしてもよいが、具体的には、図２又は図３に示すように、前述の「支持具本体１１」に貫通孔を穿設し、当該貫通孔に対して進退自在な「棒状部材３１」を挿通させることにより構成することが考えられる。尚、この「棒状部材３１」には、コイルスプリング３２で付勢することにより、「支持部１０」付近に突出すべく作用させるとよい。
【００２６】
「操作手段４０」につき説明する。この「操作手段４０」を操作することにより、前述の「解除手段３０」を作動させる。解除手段３０を作動させることによって支持部１０によるケーブル等の支持状態が解除されることとなる。本実施例に係る布設具１００を用いて布設作業を行う際には、作業者が前記把持部２０を把持することにより支持部１０を上方に配置させた状態にて「操作手段４０」を操作が可能である必要がある。そのため、前述の「把持部２０」の付近に「操作手段４０」を設けることが好適であると考えられる。具体的には、図１乃至図４に示すように、前記「棒状部材３１」の下端に「ひも状部材」を連結し、当該「ひも状部材」を下方に引き込み、或いは、その引き込みを解放することにより、前記棒状部材３１を進退させることが考えられる。このように前記棒状部材３１を進退自在に操作することにより、「支持部１０」によるケーブル等への支持状態を自在に操作することが可能となるのである。
【００２７】
「掛止部５０」につき説明する。この「掛止部５０」は、本実施例に係る「布設具１００」を用いてケーブル等の布設を行う際に、ケーブル等への支持状態の解除を行うに先立って、当該「布設具１００」自体を受具に掛止させるものである。
【００２８】
このように、掛止部５０によって受具に掛止させることにより、「布設具１００自体の重量」と布設の目的物である「ケーブル等の重量」とを、全て受具に負担させ、「布設具１００」自体をいわば「宙づり」に近い状態とすることができるのである。そのため、ケーブル等の布設作業にあたる作業者は、「把持部２０」に手を添える程度に支持すればよく、従来のように布設具１００を下方から受具に向けて支持することから解放されるため、前記作業者の負担を減らすことができる。従って、受具に掛止部５０を掛止させた後においては、作業者は前述の「操作手段４０」による「解除手段３０」への操作にのみ専念することが可能となる。
【００２９】
つまり、本実施例に係る「布設具１００」を用いてケーブル等の布設作業を行う際には、受具における「受け部」の所望する位置へケーブル等を確実に布設することが可能となるのである。このような作用を奏することが可能であればどのような構造のものとしてもよいが、具体的には図４に示すように、「支持具本体１１」の下側端面を櫛歯の如く凹凸状に形成し、この櫛歯部分に受具側壁の上端を係止させることが考えられる。掛止部５０を受具側壁の上端に掛止させることにより、前記ケーブル等に対する支持状態を解除して当該ケーブル等を受け部に降下させることのみを以て、前記ケーブル等の布設が可能となるのである。
【００３０】
また、図５又は図７の側面図に示すように、複数の種類の受具に対応可能に構成すると更に好適と考えられる。このように形成することにより、図６に示す「ラダータイプ」の受具や、図８に示す「メッシュタイプ」の受具に対しても対応可能となるのである。
【００３１】
さらに、図５又は図７に示すように、「掛止部５０」を複数の箇所にわたり段階的に設けることが好適と考えられる。即ち、複数の「掛止部５０」を設けることにより、「受け部」の幅方向に対して、段階的に段階的にケーブル等の布設作業を行うことができるものである。本実施例に係る「布設具１００」を用いてケーブル等の布設作業を行う場合には、前記受け部の幅方向に対して、まず幅方向の最も外側に面する付近からケーブル等を布設し、順次、内側方向に向けてケーブルを布設することが考えられる。このようにして、受具における「受け部」に対し、複数のケーブル等を段階的に整然と布設することが可能となるのである。
【００３２】
一方、支持具本体１１の側方に掛止部５０を設けることも考えられる。即ち、図９に示すように、「Ｌ形掛止部５１」を支持具本体１１の側方に設けることによって、受け部が相互に連続しない受具にもケーブル等を布設することが可能となるのである。
【００３３】
以上、本発明に係る配線・配管材布設具１００を一実施例とともに詳説したが、本発明は、この構成に特段限定されるものではない。即ち、本発明の本質を逸脱しない範囲で形状乃至構造を変更してもよい。
【００３４】
例えば「掛止部５０の形状」等は、添付した図面に示す形状に限定されることはなく、布設対象である受具の形状に対応させ、「布設具１００」形状を任意に決定されるものである。
【００３５】
また、支持具本体１１を大型化して、当該支持具本体１１を構成する一辺の寸法をより長く形成してもよい。即ち、支持具本体１１を形成する一辺の寸法を長くすることにより、受具に係る「受け部」の奥の方へも支持具本体１１を進入させ、そこへケーブル等を布設することが可能となるのである。
【００３６】
さらに、「解除手段３０の具体的構造」乃至「操作手段４０の具体的構造」は、支持部１０におけるケーブル等の支持及びその解除が可能であれば、上記実施例に示した「進退自在な棒状部材３１」のような直線上に作動させる構造に限定されることはなく、例えば、「回動自在な部材」を曲線上に作動させる構造を採用してもよい。
【００３７】
【発明の効果】
請求項１に係る発明は、上方に配設された配線・配管材用受具の受け部に対して、ケーブル又は管を布設する際に使用する配線・配管材布設具であって、ケーブル又は管を支持するとともに、その支持状態を解除する解除手段を有する支持部を備えた支持具本体と、前記支持部を上方に配置させるべく、前記支持具本体より下方に延設され、ロッド部材によって形成された把持部と、前記解除手段に連結され、該解除手段を作動させるように前記把持部付近において操作可能な操作手段と、前記支持具本体の下部に設けられ、前記支持部にて支持するケーブル又は管の重量を配線・配管材用受具に負担させるべく、該配線・配管材用受具に掛け止め可能な掛止部とを備え、前記支持具本体を把持部によって上方に配置するとともに前記掛止部により前記配線・配管材用受具に掛け止めした状態において、解除手段によるケーブル又は管に対する支持状態を解除して、該ケーブル又は管を前記受具の受け部へと降下させて布設することに、その構成上の特徴を有するものである。
【００３８】
そしてこの請求項１に係る発明によれば、ケーブル等を受具に布設する際に「布設具」自体を受具に掛止させることができるので、布設作業にあたる作業者への負担を極力抑えることができ、尚かつ、「布設具」自体がふらつくことが防止できるので、前記ケーブル等を受具上の所望する位置に布設することが可能となるという効果を奏するものである。
【００３９】
また、掛止部５０を受具に掛止させた後に把持部２０を前記受具下方の地面（床面）上に当接させた場合には、布設具１００が「受具」乃至「地面（床面）」に支持されることとなり、当該布設具１００自体を一層確実に安定させることが可能となり、布設作業にあたる作業者への負担も更に抑えることが可能となるのである。
【００４０】
請求項２に係る発明は、請求項１に記載の配線・配管材布設具において、前記配線・配管材用受具は受け部とその両端に立設する側壁とからなり、前記掛止部は、前記側壁の上端に掛け止め可能であることに、その構成上の特徴を有するものである。
【００４１】
そしてこの請求項２に係る発明によれば、掛止部を受具側壁の上端に掛止させた状態のままで、前記ケーブル等に対する支持状態を解除し、当該ケーブル等を受け部に降下させることのみを以て、前記ケーブル等の布設が可能となるという効果を奏するものである。
【００４２】
請求項３に係る発明は、請求項１又は２に記載の配線・配管材布設具において、前記ケーブル又は管の受具の幅方向への布設位置を段階的に調整すべく、受具に対する進入方向に沿って複数の掛止部を備えたことに、その構成上の特徴を有するものである。
【００４３】
そしてこの請求項３に係る発明によれば、受具における「受け部」に対し、複数のケーブル等を段階的に整然と布設することが可能となるという効果を奏するものである。
【００４４】
請求項４に係る発明は、請求項１から３の何れかに記載の配線・配管材布設具において、前記支持部は、ケーブル又は管の周面を支持することに、その構成上の特徴を有するものである。
【００４５】
請求項５に係る発明は、請求項４に記載の配線・配管材布設具において、前記解除手段は、支持具本体へ穿設した貫通孔に対して進退自在に挿通させた棒状部材であり、前記操作手段は該棒状部材の下端に連結されたひも状部材であって、当該ひも状部材を下方に引き込んで当該棒状部材を進退させ、ケーブル又は管に対する側方からの支持状態を解除することに、その構成上の特徴を有するものである。
【００４６】
そしてこの請求項５に係る発明によれば、ひも状部材を下方に引き込み、或いは、その引き込みを解放することにより、支持部によるケーブル等への支持状態を自在に操作することが可能となるという効果を奏するものである。
【図面の簡単な説明】
【図１】本発明に係る布設具１００の斜視図である。
【図２】図１に示した布設具１００の内部を示す部分側面図である。
【図３】図２に示した布設具１００の操作手段４０を操作して、解除手段３０を作動させた状態を示す部分側面図である。
【図４】図１に示した布設具１００を下方から見上げた状態を示す図である。
【図５】ラダータイプの受具の側壁上端に、支持具本体１１の下側端面に形成した掛止部５０を係止させた状態を示す模式側面図である。
【図６】図１に示した布設具にて、ラダータイプの受具に対してケーブルを布設する使用状態を示す図である。
【図７】メッシュタイプの受具の側壁上端に、支持具本体１１の下側端面に形成した掛止部５０を係止させた状態を示す模式側面図である。
【図８】図１に示した布設具にて、メッシュタイプの受具に対してケーブルを布設する使用状態を示す図である。
【図９】支持具本体１１の側方にＬ形掛止部を設け、受け部が相互に連続しない受具に対してケーブルを布設する使用状態を示す図である。
１０    支持部
１１    支持具本体
２０    把持部
２１    ロッド部材
２２    グリップ
３０    解除手段
３１    棒状部材
３２    コイルスプリング
４０    操作手段
５０    掛止部
５１    Ｌ形掛止部
６０    降下路
１００  配線・配管材布設具
【図１】
0003975459.tif 000002
【図２】
0003975459.tif 000003
【図３】
0003975459.tif 000004
【図４】
0003975459.tif 000005
【図５】
0003975459.tif 000006
【図６】
0003975459.tif 000007
【図７】
0003975459.tif 000008
【図８】
0003975459.tif 000009
【図９】
0003975459.tif 000010